(57)【要約】【課題】  合成樹脂製の反射板を立体的な形状に加工した光反射板に割れが生じることを防ぐことができるとともに、この光反射板の変形を良好に防止することができる技術を提供する。【解決手段】  光を反射するプラスチックのフィルムまたはシート２に、フィルムまたはシートを貫通しない溝を直線に沿って連続的または間欠的に形成することにより、フィルムまたはシートに折り曲げ溝部６を設ける。そして、この折り曲げ溝部に沿ってフィルムまたはシートを折り曲げる。【選択図】        図１【特許請求の範囲】
【請求項１】
光を反射するプラスチックのフィルムまたはシートを立体的な形状に加工した光反射板であって、前記フィルムまたはシートは、溝を直線に沿って連続的または間欠的に形成してなる折り曲げ溝部を有し、該折り曲げ溝部に沿って前記フィルムまたはシートが折り曲げられていることを特徴とする光反射板。
【請求項２】
前記折り曲げ溝部において、溝の内面にさらに切断部または溝が形成されていることを特徴とする請求項１に記載の光反射板。
【請求項３】
前記光を反射するプラスチックのフィルムまたはシートは、複数枚の光を反射するプラスチックのフィルムまたはシートが積層されたものであることを特徴とする請求項１または２に記載の光反射板。
【請求項４】
前記光を反射するプラスチックのフィルムまたはシートの片面にアルミニウム板が積層されていることを特徴とする請求項１〜３のいずれか１項に記載の光反射板。
【請求項５】
前記光を反射するプラスチックのフィルムまたはシートは、内部に平均気泡径が５０μｍ以下の微細な気泡または気孔を多数有する熱可塑性樹脂のフィルムまたはシートであることを特徴とする請求項１〜４のいずれか１項に記載の光反射板。
【請求項６】
前記光を反射するプラスチックのフィルムまたはシートは、フィラーを含有する熱可塑性樹脂のフィルムまたはシートであって、前記フィラーを核として多数のボイドが形成されているフィルムまたはシートであることを特徴とする請求項１〜４のいずれか１項に記載の光反射板。
【請求項７】
前記光反射板は山形突起を有し、該山形突起の折り曲げ箇所のうち、少なくとも裾部分の折り曲げ箇所は、前記フィルムまたはシートを前記折り曲げ溝部に沿って折り曲げることにより形成されているとともに、該光反射板に形状保持用の粘接着テープが貼り付けられていることを特徴とする請求項１〜６のいずれか１項に記載の光反射板。
【発明の詳細な説明】
【技術分野】
【０００１】
本発明は、電飾看板、液晶表示装置、照明器具などのバックライトや照明ボックスを、より明るく、より薄型化して、効率的に発光させるための立体的な光反射板に関する。
【背景技術】
【０００２】
従来、電飾看板、液晶表示装置、照明器具などに使用される光反射板として、合成樹脂製の反射板を立体的な形状に加工した光反射板が提案されている（例えば、特許文献１参照）。【０００３】
【特許文献１】特開２００２−１２２８６３号公報
【発明の開示】
【発明が解決しようとする課題】
【０００４】
前述した合成樹脂製の反射板を立体的な形状に加工した光反射板として、本発明者は、光を反射する発泡プラスチックのフィルムまたはシートに、その片側表面から反対側表面へ貫通する幅の狭い切り込みを直線に沿って間欠的に形成し、上記フィルムまたはシートを上記切り込みに沿って折り曲げてなる光反射板を提案した。【０００５】
また、前述した合成樹脂製の反射板を立体的な形状に加工した光反射板は、成形時のひずみや成形後の収縮により作製後に変形が引き起こされる。そこで、上記光反射板の変形を防止する手段として、本発明者は、光反射板に形状保持用の粘接着テープを貼り付けることを提案した。この光反射板では、粘接着テープの作用によって変形を防止し、その形状を保持する。【０００６】
しかし、上述したフィルムまたはシートを切り込みに沿って折り曲げた光反射板は、フィルムまたはシートを折り曲げるときに、切り込み間の切断されていない部分に割れが生じることがあった。【０００７】
また、上述した形状保持用の粘接着テープを貼り付けた光反射板は、後述するように、光反射板の形状によっては変形しやすい箇所が生じることがあり、そのため上記変形しやすい箇所が変形して光反射板全体が反ることがあった。【０００８】
本発明は、前述した事情に鑑みてなされたもので、合成樹脂製の反射板を立体的な形状に加工した光反射板に割れが生じることを防ぐことができるとともに、この光反射板の変形を良好に防止することができる技術を提供することを目的とする。
【課題を解決するための手段】
【０００９】
本発明者らは、前述した課題を解決すべく種々研究を重ねた結果、フィルムまたはシートに該フィルムまたはシートを貫通しない溝を直線に沿って連続的または間欠的に形成し、この溝に沿ってフィルムまたはシートを折り曲げた場合、フィルムまたはシートに割れが生じにくくなるととともに、折り曲げ箇所に加わるひずみや収縮が緩和され、その結果、折り曲げ箇所の変形が効果的に防止されることを見出した。【００１０】
本発明は、上述した知見に基づいてなされたもので、光を反射するプラスチックのフィルムまたはシートを立体的な形状に加工した光反射板であって、前記フィルムまたはシートは、溝を直線に沿って連続的または間欠的に形成してなる折り曲げ溝部を有し、該折り曲げ溝部に沿って前記フィルムまたはシートが折り曲げられていることを特徴とする光反射板を提供する。【００１１】
以下、本発明についてさらに詳しく説明する。本発明において、光を反射するプラスチックのフィルムまたはシートの材料としては、例えば、ポリエチレン、ポリプロピレン、ポリスチレン、ポリ塩化ビニル、ポリ塩化ビフェニル、ポリエチレンテレフタレート、ポリビニルアルコールなどの汎用樹脂、ポリカーボネート、ポリブチレンテレフタレート、ポリアミド、ポリアセタール、ポリフェニレンエーテル、超高分子量ポリエチレン、ポリサルフォン、ポリエーテルサルフォン、ポリフェニレンサルファイド、ポリアリレート、ポリアミドイミド、ポリエーテルイミド、ポリエーテルエーテルケトン、ポリイミド、ポリテトラフルオロエチレン、液晶ポリマー、フッ素樹脂などのエンジニアリングプラスチック、またはこれらの共重合体または混合物などが挙げられる。これらのうちでも、耐熱性、耐衝撃性などが良好であることから、ポリエステル、ポリフェニレンサルファイド、ポリプロピレン、シクロポリオレフィンが好ましい。なお、上記光を反射するプラスチックのフィルムまたはシートに用いられる樹脂中には、酸化防止剤、紫外線防止剤、滑剤、顔料、強化剤などを適宜添加することができる。また、これらの添加剤を含有した塗布層を塗布して形成してもよい。【００１２】
より具体的には、光を反射するプラスチックのフィルムまたはシートの好ましい例として、内部に平均気泡径が５０μｍ以下の微細な気泡または気孔を多数有する熱可塑性樹脂のフィルムまたはシートや、フィラーを含有する熱可塑性樹脂のフィルムまたはシートであって、フィラーを核として多数のボイドが形成されているフィルムまたはシートが挙げられる。この場合、後者のフィルムまたはシートにおいて、フィラーを含有する熱可塑性樹脂のフィルムまたはシートは、フィラーを含有する未延伸フィルムまたはシートを成形し、この未廷伸フィルムまたはシートを延伸することにより、フィラーを核として多数のボイドを形成した多孔性延伸フィルムまたはシートであることが好ましい。【００１３】
本発明では、光を反射するプラスチックのフィルムまたはシートを立体的な形状に形成するに当たり、フィルムまたはシートを貫通しない溝を直線に沿って連続的または間欠的に形成してなる折り曲げ溝部をフィルムまたはシートに設け、この折り曲げ溝部に沿ってフィルムまたはシートを折り曲げる。この場合、上記溝としては、例えば、フィルムまたはシートに切削加工あるいは押圧加工によって形成した溝を挙げることができる。【００１４】
本発明では、後述する実施形態に示すように、折り曲げ溝部において、溝の内面にさらに切断部または溝を形成することができ、例えば、溝の内面にさらに切断部や溝を直線に沿って連続的または間欠的に形成することができる。この場合、上記切断部としては、例えば、フィルムまたはシートの片側表面から反対側表面へ貫通する幅の狭い切り込みを挙げることができる。溝の内面に切断部を直線に沿って間欠的に形成した場合、フィルムまたはシートの厚さが薄くなった部分に切断部が形成されるため、フィルムまたはシートを折り曲げるときに、切断部間の切断されていない部分に割れが生じにくくなる。また、上記溝内面の溝としては、前記と同様に、切削加工あるいは押圧加工によって溝内面に形成した溝を挙げることができる。なお、本発明では、複数の折り曲げ溝部を平行に配置することによりフィルムまたはシートに折り曲げ帯域を形成し、この折り曲げ帯域に沿ってフィルムまたはシートを折り曲げるようにしてもよい。【００１５】
また、本発明では、後述する実施形態に示すように、光を反射するプラスチックのフィルムまたはシートを、複数枚の光を反射するプラスチックのフィルムまたはシートを積層することにより形成したり、光を反射するプラスチックのフィルムまたはシートの片面にアルミニウム板を積層したりすることができる。【００１６】
さらに、本発明では、後述する実施形態に示すように、光反射板に山形突起を設け、この山形突起の裾部分の折り曲げ箇所を前述した折り曲げ溝部を用いて形成するとともに、光反射板に形状保持用の粘接着テープ貼り付ける構成とすることができる。この場合、粘接着テープの基材の材質としては、立体的な形状に加工された光反射板の変形を防止することができる力学特性を有しているものが好ましい。さらに、粘接着テープの基材の材質としては、１３０℃の耐熱性を有することが望ましい。粘接着テープの基材の材質に限定はないが、例えば、ポリエステル、ポリオレフィン、シクロポリオレフィン、ポリアミド、ポリアリレート、ポリカーボネート、ポリアセタール、ポリフェニレンエーテル、ポリメチルペンテン、液晶ポリマー等が挙げられる。これらのうちでも、耐熱性、耐衝撃性などが良好であることから、ポリエステル、ポリプロピレンまたはシクロポリオレフィンが特に好ましい。さらに、粘接着テープは無色あるいは白色であることが好ましい。粘接着テープが他の色に着色されていると、光反射板を液晶表示装置に使用したときに、色目が画面に出てしまうことがある。なお、粘接着テープの粘接着剤の材質は上記の点を考慮して適宜選定することができる。
【発明の効果】
【００１７】
本発明によれば、合成樹脂製の反射板を立体的な形状に加工した光反射板に割れが生じることを防ぐことができるとともに、この光反射板の変形を良好に防止することができる。したがって、本発明では、折り曲げ箇所のすべて、あるいは変形しやすい箇所を上記折り曲げ溝部によって形成することにより、光反射板の割れや変形を良好に防止することができ、また、光反射板に変形しやすい箇所が生じて光反射板全体が反るようなことを防ぐことができる。
【図面の簡単な説明】
【００１８】
【図１】シートの折り曲げ前の加工状態を示す図である。
【図２】図１のシートの折り曲げ溝部を示す断面図である。
【図３】図１のシートを用いた光反射板の斜視図である。
【図４】図３の光反射板の側面形状と蛍光灯の位置を示す図である。
【図５】図５の光反射板の裏面図である。
【図６】折り曲げ溝部の一例を示す断面図である。
【図７】折り曲げ溝部の一例を示す断面図である。
【図８】折り曲げ溝部の一例を示す断面図である。
【図９】折り曲げ溝部の一例を示す断面図である。
【図１０】複数枚の光を反射するシートを積層した例を示す断面図である。
【図１１】光を反射するシートの片面にアルミニウム板を積層した例を示す断面図である。
【発明を実施するための最良の形態】
【００１９】
次に、図面を参照して本発明に係る光反射板の一例を示すが、本発明は下記例に限定されるものではない。熱可塑性ポリエステルの押出シートに炭酸ガスを高圧下で含浸させた後、加熱し発泡させたシートで、厚さが１ｍｍで内部の気泡径が５０μｍ以下である発泡プラスチック製光反射シートがある（例えば古河電気工業製のＭＣＰＥＴ（登録商標）等）。また、厚さが０．５ｍｍで内部の気泡径が５０μｍ以下であるシクロポリオレフィンからなる発泡プラスチック製光反射フィルムがある。これらの光反射シートやフィルムを液晶表示装置のバックライト用反射板として組み込む場合に、バックライトの光源（例えば蛍光灯）の後ろ側の立体的な光反射板を製造する例として以下の例を挙げる。【００２０】
図１に示すように、平均気泡径が５０μｍ以下で厚さが１ｍｍの約４倍に発泡したポリエチレンテレフタレートの発泡シート２（前記のＭＣＰＥＴ）に、直線状のミシン目４を形成するとともに、各ミシン目４の両側に折り曲げ溝部６を形成した。折り曲げ溝部６は、図２に示すように、切削加工によって発泡シート２の片面に直線に沿って連続的に形成した断面三角形の溝からなるものである。【００２１】
その後、図３に示すように、直線の山形状になるように発泡シート２をミシン目４および折り曲げ溝部６で山谷に折り曲げて光反射板８を得た。折り曲げる山形状のピッチは、図４に示すように、バックライトの光源１０のピッチＰに合わせて、山の頂上部が光源１０間のほぼ中間位置Ｐ／２になるように設計した。折り曲げ加工は金型を使用せず、山谷の形状に沿った形の冶具を使って一山ずつ折り曲げた。【００２２】
次に、図３〜図５に示すように、光反射板８の裏面（光源１０側と反対側の面）に、ミシン目４および折り曲げ溝部６と直交する３本の粘接着テープ１２を、光反射板８の幅方向一端部から他端部にかけて所定間隔を開けて貼り付けた。この場合、粘接着テープ１２は、張力をかけずにたるまないように光反射板８に貼り付けた。【００２３】
本例の光反射板では、山形突起１４の頂上部分の折り曲げ箇所の形状（具体的には図４の角度Ａ）は粘接着テープ１２によって保持されるものの、裾部分の折り曲げ箇所の形状（具体的には図４の角度Ｂ）は粘接着テープ１２によって保持されないため、角度Ｂがひずみや収縮によって変化した場合、光反射板全体が反ってしまう。そこで、本例の光反射板では、山形突起１４の裾部分の折り曲げ箇所を折り曲げ溝部６によって形成することにより、上記折り曲げ箇所の角度Ｂがひずみや収縮によって変化することを防ぎ、光反射板全体が反ることを防止している。なお、本例では３本の粘接着テープを反射板の幅方向一端部から他端部にかけて所定間隔を開けて貼り付けたが、粘接着テープの本数や貼り付け態様は適宜設定することができる。【００２４】
本発明に係る光反射板の折り曲げ溝部の構成は図２の例に限られるものではなく、例えば図６〜図９に示す構成とすることができる。図６（ａ）の折り曲げ溝部２０は、切削加工によって発泡シート２に直線に沿って間欠的に形成した断面三角形の溝からなるもので、本例では発泡シート２の両面の同じ位置に折り曲げ溝部２０を設けてある。図６（ｂ）の折り曲げ溝部２１は、切削加工によって発泡シート２に直線に沿って連続的に形成した断面三角形の溝からなるもので、本例では発泡シート２の両面に互い違いに折り曲げ溝部２１を設けてある。切削加工によって形成する溝の断面形状は、直線、三角形等、適宜選択することができる。【００２５】
図７（ａ）の折り曲げ溝部２２は、押圧加工によって発泡シート２の片面に直線に沿って間欠的に形成した断面四角形の溝からなるものである。図７（ｂ）の折り曲げ溝部２３は、押圧加工によって発泡シート２に直線に沿って連続的に形成した断面四角形の溝からなるもので、本例では発泡シート２の両面の同じ位置に折り曲げ溝部２３を設けてある。図７（ｃ）の折り曲げ溝部２４は、押圧加工によって発泡シート２に直線に沿って間欠的に形成した断面四角形の溝からなるもので、本例では発泡シート２の両面に互い違いに折り曲げ溝部２４を設けてある。押圧加工によって形成する溝の断面形状は、四角形、かまぼこ形等、適宜選択することができる。折り曲げ溝部の幅ｗは０．７〜１．０ｍｍ、折り曲げ溝部形成部分の発泡シートの厚みｔは０．２〜０．４ｍｍであると、発泡シートが折り曲げやすく、また、光反射板の変形を良好に防止することができるため好ましい。【００２６】
図８（ａ）の折り曲げ溝部２５は、押圧加工によって発泡シート２の片面に断面四角形の溝２６を直線に沿って連続的に形成し、さらに切削加工によって上記溝２６の底面に切断部２７を直線に沿って間欠的に形成したものである。図８（ｂ）の折り曲げ溝部２８は、押圧加工によって発泡シート２の両面の同じ位置に断面四角形の溝２９、３０を直線に沿って間欠的に形成し、さらに切削加工によって上記溝２９、３０の底面に切断部３１を直線に沿って間欠的に形成したものである。折り曲げ溝部の幅ｗは０．７〜１．０ｍｍであることが好ましく、折り曲げ溝部形成部分の発泡シートの厚みｔは０．２〜０．４ｍｍであることが好ましい。また、溝の底面に直線に沿って形成した各切断部の長さは１０〜２０ｍｍであることが好ましく、隣り合う２つの切断部間の切断されていない部分の長さは５〜１０ｍｍであることが好ましい。【００２７】
図９の折り曲げ溝部３２は、押圧加工によって発泡シート２の片面に断面四角形の溝３３を直線に沿って連続的に形成し、さらに切削加工によって上記溝３３の底面に断面三角形の溝３４を直線に沿って間欠的に形成したものである。【００２８】
また、本発明では、図１０に示すように、光を反射するプラスチックのフィルムまたはシートを、複数枚の光を反射するプラスチックのフィルムまたはシートを積層することにより形成することができる。図１０（ａ）のシートは、図２の発泡シート２の片面に、さらに光を反射する別の発泡シート４０を積層したものである。図１０（ｂ）のシートは、図９の発泡シート２の片面に、さらに光を反射する別の発泡シート４０を積層したものである。図１０（ｃ）のシートは、図２の発泡シート２の片面同士を貼り合わせたものである。図１０（ｄ）のシートは、図８（ａ）の発泡シート２の片面に、さらに光を反射する別の発泡シート４０を積層したものである。図１０（ｅ）のシートは、光を反射する発泡シート４０の片面に、前述したポリエチレンテレフタレートの発泡シートを裁断した複数枚の裁断シート４１を互いに間隔を開けて貼り合わせたもので、これによりシート片面の上記裁断シート４１の間に直線に沿って断面四角形の溝４２を連続的に形成し、この溝４２を折り曲げ溝部としたものである。【００２９】
さらに、本発明では、図１１に示すように、光を反射するプラスチックのフィルムまたはシートの片面にアルミニウム板を積層することができる。図１１（ａ）の例は、図２の発泡シート２の片面にアルミニウム板５０を積層したものである。図１１（ｂ）の例は、図９の発泡シート２の片面にアルミニウム板５０を積層したものである。図１１（ｃ）の例は、図８（ａ）の発泡シート２の片面にアルミニウム板５０を積層したものである。
【図１】
2005101066.tif 000002
【図２】
2005101066.tif 000003
【図３】
2005101066.tif 000004
【図４】
2005101066.tif 000005
【図５】
2005101066.tif 000006
【図６】
2005101066.tif 000007
【図７】
2005101066.tif 000008
【図８】
2005101066.tif 000009
【図９】
2005101066.tif 000010
【図１０】
2005101066.tif 000011
【図１１】
2005101066.tif 000012
【国際調査報告】
2005101066.tif 000013
2005101066.tif 000014
2005101066.tif 000015
2005101066.tif 000016